(57)【要約】【課題】面板から流下する水による枠体の汚れが生じることのない防音パネルを提供する。【解決手段】下枠材１の表面Ｈに光触媒含有層を形成すれば、光触媒の活性化作用によりその表面は親水化されて、汚染物質が付着しにくく且つ雨水により容易に洗浄される。また防汚塗料層を形成すれば、その表面に汚染物質が付着しにくく且つ雨水により容易に洗浄され、面板２から流下してきた水により下枠材１が汚れることを防止できる。【選択図】        図２
2004204620.tif 000002
【特許請求の範囲】
【請求項１】
遮音性を有する面板と、面板を支持する少なくとも下枠材とを備えたパネルであって、下枠材の表面に光触媒含有層又は防汚塗料層が形成されていることを特徴とする防音パネル。
【請求項２】
遮音性を有する面板と、面板を支持する少なくとも下枠材とを備えたパネルであって、前記下枠材の上面に面板表面を流下してきた雨水を受ける雨水受け溝が形成されていることを特徴とする防音パネル。
【請求項３】
請求項１又は２に記載の防音パネルを用いて形成されたことを特徴とする防音壁。
【発明の詳細な説明】
【０００１】
【発明の属する技術分野】
本発明は、道路や鉄道の沿線等に沿って設置され、防音パネルの洗浄構造及びこの洗浄構造を備えた防音壁に関するものである。
【０００２】
【従来の技術】
車両からの騒音を遮断するために、道路や鉄道の沿線等に沿って防音壁が設置される。かかる防音壁に用いられる防音パネルにおいて、例えば透視性を有する面板の周囲に枠体を形成した防音パネルが富に用いられている。かかる防音パネルは、設置されて常に車両の排気ガスや塵埃にさらされているために排気ガスや塵埃等により汚染され、汚染がよく目立ち、又その汚染により透視性が損なわれる恐れがある。
【０００３】
なお、しかしながら、上記の例の如き降雨に晒されにくい防音パネルの内側の面にあっては、自然の降雨のみでは、この光触媒含有層による洗浄も期待できない。そこで光触媒含有層を形成していても防音パネルの内側の面は、やはり作業車で直接水を噴射したり、スプリンクラー等により定期的に洗浄する必要がある。
【０００４】
そこで、防音パネルの表面に光触媒含有層を形成し、この光触媒含有層に紫外線を照射して光触媒を活性化させてその表面を親水化し、汚染物質が付着しにくくし、且つ付着した汚染物質が降雨に晒されると、雨水により容易に洗浄されるようにした上で、防音パネルの表裏面が須く洗浄されるよう、本出願人による特許文献１において、上下に積み重ねられた防音パネルの、上下に隣接する上段の防音パネルの下部より下段の防音パネルの上部にかけて導水孔を形成し、上段の防音パネルの外側の面上に降った雨水を導水孔を伝って下段の防音パネルの内側の面上に導かれるようにした防音パネルの洗浄構造が提案されている。
【０００５】
また、同じく本出願人によるに特許文献２おいて、上下に隣接する少なくとも上段の防音パネルの面板に下枠材を配置し、且つ下枠材の外側面上に上端から下端に向かう複数の水の通り道を互いに間隔を開けて並設し、面板の外側の面上に降った雨水が前記下枠材の水の通り道を伝って下方に導かれるようにして、その導かれた雨水が、さらに下段の防音パネルの内側の面上に導かれるようにした防音パネルの洗浄構造が提案されている。
【０００６】
【特許文献１】
特開２０００−２０４５２０号
【０００７】
【特許文献２】
特開２００１−３２２２１号
【０００８】
【発明が解決しようとする課題】
しかしながら、かかる防音パネルにおいては、雨水等により面材は洗浄されるものの、面板を伝って流下してきた汚染物質を含む水が枠体上を流れ、枠体表面に雨筋状の汚れが生じることがあり、面板表面が洗浄されても、枠体が汚染されることで防音パネルや防音壁の外観が損なわれることがある。
【０００９】
そこで、本発明は面板から流下する水による枠体の汚れが生じることのない防音パネルを提供せんとするものである。
【００１０】
【課題を解決するための手段】
上記課題を解決するため、本発明は以下のような構成としている。すなわち、本発明に係わる防音パネルは、遮音性を有する面板と、面板を支持する少なくとも下枠材とを備えたパネルであって、下枠材の表面に光触媒含有層又は防汚塗料層が形成されていることを特徴とするものである。
【００１１】
本発明によれば、下枠材の表面に光触媒含有層を形成すれば、光触媒の活性化作用によりその表面は親水化されて、汚染物質が付着しにくく且つ雨水により容易に洗浄される。また防汚塗料層を形成すれば、その表面に汚染物質が付着しにくく且つ雨水により容易に洗浄され、面板から流下してきた水により下枠材が汚れることを防止できる。
【００１２】
また本発明に係わる防音パネルは、遮音性を有する面板と、面板を支持する少なくとも下枠材とを備えたパネルであって、前記下枠材の上面に面板表面を流下してきた雨水を受ける雨水受け溝が形成されていることを特徴とするものである。
【００１３】
本発明によれば、面板表面から流下してきた雨水を雨水受け溝により受けることで、下枠材の表面に汚染物質を含んだ雨水が伝うのを防ぎ、雨水により下枠材が汚れるのを防止できる。
【００１４】
また本発明に係わる防音壁は、本発明請求項１又は２に記載の防音パネルを用いて形成されたことを特徴とするものである。
【００１５】
本発明によれば、本発明請求項１又は２に記載の防音パネルを複数段積み重ねるか、または道路に沿って連続して立設する等して防音壁を形成することで、下枠材が汚れることがなく防音壁の外観は好ましいものに保つことができる。
【００１６】
【発明の実施の形態】
本発明の実施の形態について、図面に基づき以下に具体的に説明する。
図１は、本発明に係わる防音パネルの、実施の一形態を示すもので、イ）は上面図、ロ）は正面図、ハ）は側面図である。透視性を有する面板２の周囲に、下枠材１、左右枠材１０１、上枠材１０２が組み付けられ、更に長手方向の中央付近には中間材１０３が取り付けられて面板２を支持している。かかる防音パネルにおいては、正面図ロ）に示す下枠材１の前面に面板２から流下した雨水が伝うことで雨筋状の汚れが生じることがある。また防音パネル１０は、短手方向に僅かに曲面となされ、防音パネル１０を複数段積み重ねて防音壁を形成したときに内側に向かって傾斜するようになされている。
【００１７】
図２は、図１のＡ−Ａ断面図である。特許文献２に示された如き上端から下端に向かう複数の水の通り道が互いに間隔を開けて並設され、面板の外側の面上に降った雨水が一点に集中して下方に導かれないようになされた部材１２と下枠材１とが締結手段Ｔ１により固定されることで、面板２はその下端が挟持されて下枠材１により支持される。更に下枠材１と面板２との間には、ゴム等の弾性材料からなるパッキン１３が挟み込まれ、面板２の震えやがたつきを防止している。
【００１８】
面板２から流下してきた雨水Ｗは下枠材１の表面に到達するが、下枠材１の、少なくとも本図に示す雨水の流下の考え得る表面Ｈに光触媒含有層又は防汚塗料層を形成しておいて下枠材１表面の汚れを防止する。
【００１９】
光触媒含有層においては、二酸化チタン等の光触媒微粒子を均一に分散させた組成物を塗布等により形成し、形成した光触媒含有層に紫外線を照射して光触媒を活性化しその表面を親水化しておけば、汚染物質が付着しにくく、且つ付着した汚染物質が降雨に晒されると雨水により容易に洗浄され、下枠材１が汚れることを防止できる。また親水化により雨水が均等な水膜となるので、汚れは雨筋状となることがない。また、道路周辺における油分を含む汚染物質が付着しても、光触媒による酸化作用により油分が分解され、汚染物質はより洗い流されやすくなる。
【００２０】
また防汚塗料層においては、フッ素樹脂、アクリル樹脂等の汎用塗料に親水化剤を配合し、その親水化剤を表面に配向させたものや、シリコーン系の親水性塗料を塗布等して形成し、その親水性により光触媒含有層の場合と同様、汚染物質の付着を防止し、且つ付着した汚染物質は降雨等により容易に洗浄される。
【００２１】
下枠材１は、面板２を支持するもので、防音パネル１０は大抵の場合屋外に設置されるものであるから、鉄鋼、アルミニウム、ステンレス等の金属材料を用いて形成するのが好ましく、複雑な形状が形成可能であるアルミニウムの押出型材が好適に用いられる。
【００２２】
図３は、図１のＡ−Ａ断面図における他の実施形態を示すものである。面板２は図２と同様に、その下端が下枠材１及び部材１２が締結手段Ｔ１により固定されることで挟持されて支持されている。下枠材１には、その上面に雨水受け溝１１が一体に設けられ、面板２表面を流下してきた雨水Ｗは、この雨水受け溝１１により受けられる。雨水受け溝１１により受けられた雨水Ｗは汚染物質を含むことから、再び下枠材１上に戻らないようにしておくのが好ましく、左右枠材１０１の中空部に流れるようにしたり、雨樋等を取り付けて防音パネル１０に影響のない場所に流し去ってもよい。
【００２３】
かかる構造により、面板表面から流下してきた雨水を雨水受け溝により受けることで、下枠材１の表面に汚染物質を含んだ雨水が伝うのを防ぎ、雨水により下枠材が汚れるのを防止できる。また雨水受け溝１１が下枠材１に一体に設けられていることで、下枠材１を取り付けるのみで雨水受け溝１１が形成でき、雨水受け溝１１を別体に形成する手間や材料を要することがない。
【００２４】
図４は、本発明に係わる防音パネルの、他の実施形態を示す説明図である。防音パネル１０は擁壁Ｙ上に設置されており、下枠材１にその端部が挿入され、更に両面から補強材３が締結手段Ｔ３により固定されて挟持することで、透視性の面板２が支持されている。かかる防音パネル１０を用いて防音壁を形成することで、面板２に左右枠材や上枠材が取り付けられている防音パネルが設置されている場合より、更に開放感や、道路からの景観の視認は優れるものとなる。
【００２５】
かかる防音パネル１０の下枠材１に光触媒含有層又は防汚塗料層が形成されるか、又は下枠材１の上面に雨水受け溝１１が設けられていることで、下枠材１の表面に汚染物質は付着し辛くまた洗浄され易くなり、また面板２から流下する汚染物質を含む雨水が雨水受け溝１１により受けられて下枠材１の表面を伝うことを軽減し、下枠材１の表面がとりわけ雨筋状に汚れるのを防止できる。また、上枠材や左右枠材が取り付けられていない本実施形態の防音パネル１０は、より汚れが目立ちやすいものであり、本発明を適用することで得られる効果は更に高められる。
【００２６】
【発明の効果】
請求項１に記載の発明によれば、下枠材の表面に光触媒含有層を形成すれば、光触媒の活性化作用によりその表面は親水化されて、汚染物質が付着しにくく且つ雨水により容易に洗浄される。また防汚塗料層を形成すれば、その表面に汚染物質が付着しにくく且つ雨水により容易に洗浄され、面板から流下してきた水により下枠材が汚れることを防止できる。
【００２７】
請求項２に記載の発明によれば、面板表面から流下してきた雨水を雨水受け溝により受けることで、下枠材の表面に汚染物質を含んだ雨水が伝うのを防ぎ、雨水により下枠材が汚れるのを防止できる。
【００２８】
請求項３に記載の発明によれば、本発明請求項１又は２に記載の防音パネルを複数段積み重ねるか、または道路に沿って連続して立設する等して防音壁を形成することで、下枠材が汚れることがなく防音壁の外観は好ましいものに保つことができる。
【図面の簡単な説明】
【図１】本発明に係わる防音パネルの、実施の一形態を示す説明図である。
【図２】図１のＡ−Ａ断面図である。
【図３】本発明に係わる防音パネルの、他の実施形態を示す説明図である。
【図４】本発明に係わる防音パネルの、更に他の実施形態を示す説明図である。
【符号の説明】
１    下枠材
１１  雨水受け溝
２    面板
１０  防音パネル
Ｗ    雨水
Ｈ    表面
【図１】
2004204620.tif 000003
【図２】
2004204620.tif 000004
【図３】
2004204620.tif 000005
【図４】
2004204620.tif 000006